(57)【要約】【課題】  検出ローラに紙葉類やテープ等の端部が片乗りして通過した場合でも、紙葉類の厚さを検出できるようにする。【解決手段】  回転駆動される基準ローラ１２a〜１２fと、検出ローラ回転軸２に固定され、外周面が基準ローラ１２a〜１２fの外周面に接触して従動回転する検出ローラ４a〜４fと、基準ローラ１２a〜１２fと検出ローラ４a〜４fの接触部を通過する紙葉類の厚みに応じて変位する検出ローラ外周面の動きを検出する変位検出センサ５a〜５fが配置される。検出ローラ４a〜４fは、円筒状部材の外輪７と内輪９からなり、外輪７と内輪９の間に弾性部材６を充填する。さらに、円板状の側板８を検出ローラ回転軸２に挿通し、検出ローラ４a〜４fの軸方向両側に、検出ローラ４a〜４fから約３０μｍ離して、円板面を検出ローラ回転軸２の軸線に直交させて固定する。側板８の半径方向高さは、外輪７の外周面よりも低く、外輪７の内周面よりも高くする。【選択図】        図１
2005258610.tif 000002
【特許請求の範囲】
【請求項１】
回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより検出ローラ回転軸に対して前記外輪を偏心させ、前記変位検出センサの出力に基づいて前記通過する紙葉類の厚みを検出する厚さ検出装置であって、前記検出ローラの回転軸方向両側に、検出ローラとの間に隙間を空けて、検出ローラの回転軸中心からの半径方向高さが、前記外輪の外周面の半径方向高さよりも小さく、かつ、前記外輪の内周面の半径方向高さよりも大きい側板が設けられている紙葉類の厚さ検出装置。
【請求項２】
請求項１に記載の紙葉類の厚さ検出装置において、前記隙間は、３０μｍを超えないことを特徴とする紙葉類の厚さ検出装置。
【請求項３】
請求項１または２に記載の紙葉類の厚さ検出装置において、前記検出ローラは、検出ローラ回転軸に挿通されて固定された円筒状の内輪と、前記外輪と、前記内輪と前記外輪の間を接続する弾性部材と、を含んで構成され、前記側板は前記検出ローラ回転軸に挿通されて円板面を検出ローラ回転軸に直交させて固定された円板状部材で構成されていることを特徴とする紙葉類の厚さ検出装置。
【請求項４】
請求項１または２に記載の紙葉類の厚さ検出装置において、前記検出ローラは、検出ローラ回転軸に挿通されて固定された円筒状の内輪と、前記外輪と、前記内輪と前記外輪の間を接続する弾性部材と、を含んで構成され、前記側板は前記検出ローラ回転軸に挿通されて検出ローラ相互間の間隔を規定する円筒状のスペーサの外周に、円板面を検出ローラ回転軸に直交させて固定された円板状部材で構成されていることを特徴とする紙葉類の厚さ検出装置。
【請求項５】
請求項１〜４のうちのいずれか１項に記載の紙葉類の厚さ検出装置において、前記外輪の回転軸方向の端部から軸方向に、内径が前記側板の外径よりも大きい段差が形成され、前記側板は、その外周面が、前記外輪の内径を大きくした部分の内周面に対向する位置に配置されていることを特徴とする紙葉類の厚さ検出装置。
【請求項６】
請求項５に記載の紙葉類の厚さ検出装置において、前記側板の検出ローラに対して軸方向反対側の面は、検出ローラの外輪の軸方向端面と軸方向に同じ面内かもしくは検出ローラの外輪の軸方向端面よりも検出ローラ側にあることを特徴とする紙葉類の厚さ検出装置。
【請求項７】
回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより前記外輪を検出ローラ回転軸に対して偏心させ、前記変位検出センサの出力に基づいて前記通過する紙葉類の厚みを検出する厚さ検出装置であって、前記基準ローラと前記検出ローラの接触位置に対して検出ローラ中心を挟んで反対側の外輪の外周面に接触して前記外輪の半径方向変位に連動して半径方向に変位する部材を備え、前記変位検出センサは、前記部材の変位を検出するように構成されていることを特徴とする紙葉類の厚さ検出装置。
【請求項８】
回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより前記外輪を検出ローラ回転軸に対して偏心させ、前記変位検出センサの出力に基づいて前記通過する紙葉類の厚みを検出する厚さ検出装置であって、前記変位検出センサは、検出ローラの前記外輪の軸方向両端部の半径方向変位量をそれぞれ検出して前記紙葉類の厚さを検出するように構成されていることを特徴とする紙葉類の厚さ検出装置。
【請求項９】
回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより前記外輪を検出ローラ回転軸に対して偏心させ、前記変位検出センサの出力に基づいて前記通過する紙葉類の厚みを検出する厚さ検出装置であって、前記検出ローラの外輪は、外輪の軸方向両端部において弾性部材を介して検出ローラの中心部に支持されていることと、前記変位検出センサは、検出ローラの前記外輪の軸方向両端部の変位量をそれぞれ検出して前記紙葉類の厚さを検出するように構成されていることを特徴とする紙葉類の厚さ検出装置。
【請求項１０】
外部からの紙幣の供給及び外部への紙幣の払い出しを行う紙幣供給受取機構と、紙幣の厚みを検出する厚さ検出装置を備えてなる紙幣判定装置と、紙幣の収納時と払い出し時に一時的に紙幣を蓄積しておく一時スタッカと、機械処理ができない紙幣を収納するための紙幣回収箱と、機械処理ができない紙幣を収納するための紙幣回収箱と、金種別に紙幣を収納し払い出すための金種収納箱と、これらの構成要素を接続して紙幣を搬送する紙幣搬送路と、を含んで構成された紙幣取扱装置であって、前記厚さ検出装置は、請求項１〜９のうちのいずれかに記載された紙葉類の厚さ検出装置である紙幣取扱装置。
【発明の詳細な説明】
【技術分野】
【０００１】
本発明は、紙幣、有価証券、切手及び小切手などに貼られたテープ、紙、シール等を検出するための紙葉類の厚さ検出装置及びこの紙葉類の厚さ検出装置を備えた紙幣取扱装置に関する。
【背景技術】
【０００２】
現金自動取引装置に備えられる紙幣取扱装置や自動販売機等のように紙幣を取り扱う装置では、テープ、紙等で変造された紙幣を鑑別することが重要であり、そのための紙幣判別装置が備えられている。
【０００３】
このようなテープ、紙等で変造された紙幣等を鑑別する紙幣判別装置として特許文献１に記載のものがある。この公報に記載の紙幣判別装置に設けられた紙葉類の厚さ検出装置は、回転駆動される基準ローラと、外周に備えた外輪の外周面が基準ローラに押圧されて従動回転する検出ローラとを備え、外輪と検出ローラ回転軸との間を弾性部材で接続し、基準ローラと検出ローラの間に紙葉類を搬送させて、両ローラの間を通過する紙葉類による外輪の変位量の変化からテープ等の存在を検出する。
【０００４】
【特許文献１】実開平６−４９４４２号公報
【発明の開示】
【発明が解決しようとする課題】
【０００５】
特許文献１に記載の装置は、検出ローラに紙葉類やテープ等の端部が片乗りして通過した場合に、検出ローラの外輪と検出ローラ回転軸との間の弾性部材が均一に収縮しないため、検出ローラが回転軸方向に傾き、正確に紙葉類やテープ等の厚みを検出できない問題があった。
【０００６】
図４に、検出ローラ４に紙葉類３０に貼られたテープ３１等の端部が片乗りして通過した場合の検出ローラ４の軸方向への倒れを示す。このように、紙葉類３０に貼られたテープ３１の端部を噛み込んだ場合に、検出ローラ４は、テープ３１の端部を支点とするモーメントにより軸方向へ倒れる。これにより、検出ローラ４の外周面をなす外輪７が傾き、外輪７の中央と変位検出センサ５の中央との距離の変化がテープ３１の厚み分より少なく変化することになる。よって、テープ３１に対応する厚さ検出信号の出力電圧がテープ３１の本来の厚みに対応する出力電圧よりも低下し、テープの厚みを正確に検出できない問題がある。
【０００７】
本発明は、検出ローラに紙葉類やテープ等の端部が片乗りして通過した場合でも、紙葉類の厚さを検出できるようにすることを目的とする。
【課題を解決するための手段】
【０００８】
上記目的を達成する本発明の第１の構成は、回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより検出ローラ回転軸に対して前記外輪を偏心させ、前記変位検出センサの出力に基づいて前記通過する紙葉類の厚みを検出する厚さ検出装置であって、前記検出ローラの回転軸方向両側に、検出ローラとの間に隙間を空けて、検出ローラの回転軸中心からの半径方向高さが、前記外輪の外周面の半径方向高さよりも小さく、かつ、前記外輪の内周面の半径方向高さよりも大きい側板が設けられている。
【０００９】
前記隙間は、３０μｍを超えないことが望ましい。
【００１０】
前記検出ローラは、検出ローラ回転軸に挿通されて固定された円筒状の内輪と、前記外輪と、前記内輪と前記外輪の間を接続する弾性部材と、を含んで構成し、前記側板を前記検出ローラ回転軸に挿通されて円板面を検出ローラ回転軸に直交させて固定された円板状部材で構成することが望ましい。
【００１１】
前記側板は、前記検出ローラ回転軸に挿通されて検出ローラ相互間の間隔を規定する円筒状のスペーサの外周に、円板面を検出ローラ回転軸に直交させて固定された円板状部材で構成してもよい。
【００１２】
前記外輪の回転軸方向の端部から軸方向に、内径が前記側板の外径よりも大きい段差を形成し、前記側板を、その外周面が、前記外輪の内径を大きくした部分の内周面に対向する位置に配置するようにしてもよい。この場合、前記側板の検出ローラに対して軸方向反対側の面は、検出ローラの外輪の軸方向端面と軸方向に同じ面内かもしくは検出ローラの外輪の軸方向端面よりも検出ローラ側にあることが望ましい。
【００１３】
上記目的を達成する本発明の第２の構成は、回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより前記外輪を検出ローラ回転軸に対して偏心させ、前記変位検出センサの出力に基づいて前記通過する紙葉類の厚みを検出する厚さ検出装置であって、前記基準ローラと前記検出ローラの接触位置に対して検出ローラ中心を挟んで反対側の外輪の外周面に接触して前記外輪の半径方向変位に連動して半径方向に変位する部材を備え、前記変位検出センサは、前記部材の変位を検出するように構成したものである。
【００１４】
上記目的を達成する本発明の第３の構成は、回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより前記外輪を検出ローラ回転軸に対して偏心させ、前記変位検出センサの出力に基づいて前記通過する紙葉類の厚みを検出する厚さ検出装置であって、前記変位検出センサは、検出ローラの前記外輪の軸方向両端部の半径方向変位量をそれぞれ検出して前記紙葉類の厚さを検出するように構成したものである。
【００１５】
上記目的を達成する本発明の第４の構成は、回転駆動される基準ローラと、外周に外輪を備え、外輪外周面を前記基準ローラ外周面に接触させて回転する検出ローラと、前記基準ローラと前記検出ローラの接触位置に対して検出ローラ中心を挟んで反対側の外輪の外周面に対向して配置され、前記外輪の外周面の半径方向の変位を検出する変位検出センサと、を有してなり、前記基準ローラと前記検出ローラの接触位置で両ローラの間を通過する紙葉類の厚みにより前記外輪を検出ローラ回転軸に対して偏心させ、前記変位検出センサの出力に基づいて前記通過する紙葉類の厚みを検出する厚さ検出装置であって、前記検出ローラの外輪は、外輪の軸方向両端部において弾性部材を介して検出ローラの中心部に支持されていることと、前記変位検出センサは、検出ローラの前記外輪の軸方向両端部の変位量をそれぞれ検出して前記紙葉類の厚さを検出するように構成したものである。
【００１６】
上記目的を達成する本発明の第５の構成は、外部からの紙幣の供給及び外部への紙幣の払い出しを行う紙幣供給受取機構と、紙幣の厚みを検出する厚さ検出装置を備えてなる紙幣判定装置と、紙幣の収納時と払い出し時に一時的に紙幣を蓄積しておく一時スタッカと、機械処理ができない紙幣を収納するための紙幣回収箱と、機械処理ができない紙幣を収納するための紙幣回収箱と、金種別に紙幣を収納し払い出すための金種収納箱と、これらの構成要素を接続して紙幣を搬送する紙幣搬送路と、を含んで構成された紙幣取扱装置であって、前記厚さ検出装置を、前記第１〜第４の構成のいずれかに記載された紙葉類の厚さ検出装置としたものである。
【発明の効果】
【００１７】
本発明によれば、検出ローラに紙葉類やテープ等の端部が片乗りして通過した場合でも、紙葉類やテープ等の厚さを精度よく検出することが可能になる。
【発明を実施するための最良の形態】
【００１８】
本発明の紙葉類の厚さ検出装置の第１の実施の形態を図１乃至図６を用いて説明する。図１は、本発明の第１の実施の形態に係る紙葉類の厚さ検出装置の全体の構成を示す。図示の厚さ検出装置は、回転駆動機構（図示せず）によって回転される基準ローラ回転軸１と、基準ローラ回転軸１に所定の間隔で固定された基準ローラ１２a乃至１２fと、基準ローラ回転軸１に軸線を平行させて設けられた検出ローラ回転軸２と、検出ローラ回転軸２の前記基準ローラ１２a乃至１２fに対向する位置に設けられ、外周面を前記基準ローラ１２a乃至１２fの外周面にそれぞれ押し付けられて従動回転する検出ローラ４a乃至４fと、基準ローラ１２a乃至１２fと検出ローラ４a乃至４fがそれぞれ当接している位置と検出ローラ回転軸２を挟んで反対側にある検出ローラ４a乃至４fの外周面それぞれに対向して配置され、該検出ローラ４a乃至４f外周面それぞれの半径方向変位を検出する変位検出センサ５a乃至５fと、前記検出ローラ４a乃至４fの各軸方向両側に、外輪７及び弾性部材６との間に３０μｍ以下の僅かな隙間を空けて検出ローラ回転軸２に固着された環状（検出ローラ回転軸２が挿通される孔を中心に備えた円板状）の側板８と、側板８相互間の検出ローラ回転軸２に嵌め込まれた円筒状のスペーサ１０と、を含んで構成されている。
【００１９】
変位検出センサ５a乃至５fとしては、本実施の形態では、基準ローラと検出ローラに挟まれた紙葉類の厚みに応じて上方向に移動する検出ローラの動きを検出する渦電流変位センサが配置されている。渦電流式変位センサに代えて、静電容量式変位センサ、光学式変位センサ、接触式変位センサなどを用いてもよい。
【００２０】
図２に、図１の検出ローラ４a乃至４fの断面図を示す。検出ローラ４a乃至４fは、基準ローラ１２a乃至１２fに接触する円筒状部材からなる外輪７と内輪９からなり、外輪７と検出ローラ中心部をなす内輪９との間に柔らかい弾性部材６が充填されている。すなわち、外輪７は、弾性部材６を介して内輪９に支持されている。言い換えると、外輪７は、弾性部材６を介して内輪９を支持している。側板８と外輪７及び弾性部材６との間に前記僅か（３０μｍ程度）の隙間を設けるために、外輪７と内輪９の長さを同じにして板厚３０μｍ程度の穴の開いた円板状のスペーサ（図示せず）を側板８と内輪９との間に挿入してある。前記弾性部材６と外輪７および内輪９は、本実施の形態では互いに接着されているが、非接着としてもよい。また、本実施の形態では弾性部材６としてシリコンゴムを用いた。
【００２１】
なお、前記隙間を設けるために、内輪９の長さを、側板８と外輪７及び弾性部材６より片側３０μｍほど長く構成することもできる。
【００２２】
側板８の検出ローラ回転軸中心からの半径方向高さは、外輪７の外周面の検出ローラ回転軸中心からの半径方向高さよりも小さく、外輪７の内周面の検出ローラ回転軸中心からの半径方向高さよりも大きい。また、想定される最大厚みの紙葉類が基準ローラ１２a乃至１２f（以下、基準ローラ１２という場合は、基準ローラ１２a乃至１２fを意味する）と検出ローラ４a乃至４f（以下、検出ローラ４という場合は、検出ローラ４a乃至４fを意味する）の間に挟まれた場合でも、検出ローラ４の外輪７のみが紙葉類に接触し、側板８の外周は紙葉類に当接しない大きさになっている。
【００２３】
さらに、側板８は、その円板面が、検出ローラ回転軸２の中心線に対して直交する姿勢で、検出ローラ回転軸２の外周面に固定されている。
【００２４】
スペーサ１０は、検出ローラ４の間隔を所定の間隔に設定するためのものであるが、側板８を検出ローラ４の内輪９との間に挟みこんで固定する機能をも持っている。
【００２５】
本実施の形態では、検出ローラ４、側板８、円筒状のスペーサ１０は、検出ローラ回転軸２に挿入した後、接着材で検出ローラ回転軸２に固定したが、他の方法で固定してもよい。
【００２６】
上記構成により、基準ローラ１２と検出ローラ４との間に紙葉類が噛み込まれると、弾性部材６が噛み込まれた紙葉類の厚み分だけ変形して、外輪７が上方向、つまり、基準ローラ１２に対向している部分の外輪７が検出ローラ回転軸２に近づく方向に移動し、偏心する。この移動量（偏心量）を変位検出センサ５a乃至５f（以下、変位検出センサ５という場合は、変位検出センサ５a乃至５fを意味する）で検出して外輪７の移動量（すなわち基準ローラ１２と検出ローラ４の間を通過する紙葉類の厚み）に応じた検出信号を出力する。
【００２７】
図６に、テープ３１が貼られた紙葉類３０が検出ローラと基準ローラの間を通過したときの厚さ検出信号の例を示す。信号３５は紙葉類３０の厚さ検出信号で、信号３６はテープ３１が貼られた部分の厚さ検出信号である。信号３６は、紙葉類３０の厚さにテープ３１の厚さが加算された厚さを示している。
【００２８】
本実施の形態では、検出ローラ４の両側に、前記検出ローラ４との間（細かく言うと、検出ローラ４の外輪７及び弾性部材６との間）に３０μｍ以下の僅かな隙間を空けて穴の開いた円板状の側板８が設けられているので、検出ローラ４が軸方向に倒れた場合には、外輪７が側板８に接触する。そして側板８が外輪７を支え、検出ローラ４がそれ以上軸方向へ倒れるのを阻止する。
【００２９】
このように本実施の形態によれば、検出ローラ４の両側に側板８を設けることにより、検出ローラ４が紙葉類に貼られたテープの端部を噛み込んだ場合に起こる、前記図４に示すような軸方向への倒れを阻止できる。すなわち、外輪７は、図５に示すように、検出ローラ４が紙葉類３０に貼られたテープ３１の端部を噛み込んだ場合でも、軸方向に傾斜することなく水平を保った状態でテープ３１の厚み分だけ上方向に移動することができる。したがって、変位検出センサ５は、正確にテープ３１の厚みを検出でき、テープ３１の存在が確認できる。
【００３０】
本発明の第２の実施の形態を、図３を参照して説明する。第２の実施の形態が前記第１の実施の形態と異なるのは、側板８を検出ローラ回転軸２に直接嵌め込む代わりに、スペーサ１０の外周面に固着し、スペーサ１０を検出ローラ回転軸２に嵌め込んで固定した点である。図３に示すように、スペーサ部材１５は、円筒状のスペーサ１０の両端部に側板８と、側板８と外輪７及び弾性部材６との間に僅かの隙間を設けるための突起１８を一体で形成した構成である。他の構成は図１に示す第１の実施の形態と同じなので、図示を省略した。
【００３１】
本実施の形態によれば、前記第１の実施の形態の効果に加え、厚さ検出装置の組み立てが容易になる効果がある。
【００３２】
本発明の第３の実施の形態を、図７を参照して説明する。第３の実施の形態が前記第１の実施の形態と異なるのは、外輪４０の側面に側板８を収納する段差を設けるとともに、内輪の長さを外輪４０の長さよりも短くした点である。他の構成は前記第１の実施の形態と同じなので、同一の符号を付して説明を省略する。
【００３３】
検出ローラ４間には、通過する紙葉類をローラが巻き込まないように、ガイドを設けるための一定の隙間を確保する必要がある。本実施の形態は、外輪４０の軸方向端部に、内径を側板８の外径よりも大きくした段差を設け、側板８の検出ローラ４側、つまり弾性部材６側の面を外輪４０の外側面より弾性部材６側に位置させること（言い換えると、側板８の外周面が、外輪４０の前記内径を側板８の外径よりも大きくした部分の内周面に対向するように、側板８の位置を設定すること）で、ローラ間の間隔が側板により減少することを防止したものである。但し、外輪４０の前記段差の内周面と側板８の外周面の間は、想定される紙葉類の最大厚みよりも大きい値としてある。また、この場合、側板８が外輪４０の外側面より外側にはみ出さないようにすることが望ましい。
【００３４】
本実施の形態によれば、前記第１の実施の形態の効果に加え、ローラ間の間隔が側板により減少することを防止できる効果がある。
【００３５】
本発明の第４の実施の形態を、図８を参照して説明する。第４の実施の形態が前記第１の実施の形態と異なるのは、側板８が設けられていない点と、外輪７の半径方向変位を１個の変位検出センサで検出するのではなく、外輪７の軸方向両端部の変位をそれぞれ検出する複数の変位検出センサ５ａ、５ｂを設けた点である。
【００３６】
本実施の形態においては、外輪７の両端部の変位を変位検出センサ５ａ、５ｂにより各々計測し、演算により外輪７の変位量の平均値と傾斜角度を算出し、あらかじめ求めておいた外輪７の傾斜角度とテープ厚さの関係からテープの厚みの補正量を求め、変位量の平均値に傾斜角度によるテープの厚みの補正量を加算してテープの厚みを求める。また、外輪７の両端部の変位を各々計測し、大きい方の変位量を紙葉類の厚みとしてもよい。
【００３７】
また、図８の検出ローラ４は、検出ローラ４の両端部に弾性部材６を設け、中央部の弾性部材６を省略して空所としたものであって、弾性部材６の軸方向の厚みを薄くしている。すなわち、外輪７は、軸方向両端部で弾性部材６を介して検出ローラ４の中心部、つまり図示されていない内輪９に支持されている。この構成により、弾性部材６の材料の硬度を柔らかくすることなくばね定数を低減できる。さらに、弾性部材６を基準ローラ１に接触させるための基準ローラ１の方向に押し潰すための押付力を低減できる。
【００３８】
本実施の形態によれば、検出ローラ４が軸方向に倒れた場合でも、外輪７の軸方向両方の端部の半径方向変位を検出することにより正確にテープ厚みを検出できる効果がある。また、検出ローラ４が柔らかくなったのにもかかわらず、軸方向両端部に、外輪７と内輪９の間に充填されて外輪７を内輪９で支持するシリコンゴムからなる弾性部材６を設けたことで検出ローラの軸方向への倒れを防止でき、かつ、ローラ間に紙葉類を噛み込むための回転トルクを低減できる効果がある。
【００３９】
本発明の第５の実施の形態を、図９、図１０を参照して説明する。第５の実施の形態が前記第１の実施の形態と異なるのは、側板８が設けられていない点と、基準ローラ１２と検出ローラ４が当接している位置と検出ローラ回転軸２を挟んで反対側にある検出ローラ４の外輪７外周面に水平に接触するばね材などの柔軟部材４５及びこの柔軟部材４５を支持する部材４６が設けられ、変位検出センサ５は、外輪７に接触している位置における柔軟部材４５の外輪半径方向の動きを検出するように構成されている点である。他の構成は前記図１に示すものと同じであるので図示と説明を省略する。
【００４０】
部材４６は図示されていないベースに固定され、柔軟部材４５を、外輪７の基準ローラ１２に当接する位置に対して検出ローラ回転軸２を挟んで反対側位置の外周面に水平に押し付けるための押圧力を与えるとともに、外輪７の半径方向変位に対して追従して変位するように支持する。ここでいう水平は、検出ローラ回転軸２と基準ローラ回転軸１を含む平面に直交するとともに検出ローラ回転軸２に平行な面内にあることをいう。
【００４１】
図１０は、図９の紙葉類の厚さ検出装置の検出ローラ４がテープ３１の端部を噛み込んだ場合の検出ローラ４の軸方向への倒れの例を示す。このように、検出ローラ４、つまり外輪７が傾いた場合でも、柔軟部材４５は水平を保ったまま上方向に移動する。変位検出センサ５は、この柔軟部材４５の変位を検出し、基準ローラ１２と検出ローラ４に噛みこまれた紙葉類の厚さ検出信号として出力する。
【００４２】
本実施の形態によれば、変位検出センサ５で精度よくテープ３１の厚みを検出できる。また、柔軟部材４５は、検出ローラ４に付着する紙粉などを掻き落す効果もある。
【００４３】
次に本発明の第６の実施の形態について説明する。本発明の第６の実施の形態は、上記第１乃至第３の実施の形態のいずれかに記載された構成の側板を、上記第４、第５の実施の形態に示された厚さ検出装置に付加したものである。こうすれば、検出ローラ４の軸方向倒れが抑制されるとともに、微小な倒れに対してもその倒れを補正した検出値が得られ、厚さ検出の精度が更に向上できる。
【００４４】
本発明の第７の実施の形態に係る現金自動取扱装置を、図１１を参照して説明する。本実施の形態は、図１１の紙幣取扱装置９０を搭載した現金自動取扱装置である。図１１に示す紙幣取扱装置９０は、紙幣供給受取機構９１と、紙幣判定装置９７と、紙幣の収納時と払い出し時に一時的に紙幣を蓄積しておく一時スタッカ９３と、機械処理ができない紙幣を収納するための紙幣回収箱９４と、金種別に紙幣９６ｂを収納し払い出すための金種収納箱９５ａ、９５ｂ、９５ｃと、これらの構成要素を接続して紙幣を搬送する紙幣搬送路９２ａ、９２ｂと、で構成される。
【００４５】
紙幣供給受取機構９１は、現金預け入れ時に供給された紙幣９６ａを収納するための紙幣の分離・放出と現金払い出し時に利用者が指定した金額の払い出しを行う装置である。
【００４６】
紙幣判定装置９７は、紙幣の絵柄を検出する画像センサと、紙幣の磁気パターンを検出する磁気センサと、紙幣の蛍光画像を検出する蛍光センサからなる紙幣の金種又は真偽を判定する真偽判定装置と、紙幣が二枚以上重なっている重送およびテープ、紙等で変造された紙幣を検出する紙葉類の厚さ検出装置と、を含んで構成され、紙幣の真偽、金種、変造の有無、重送の有無を判定するとともに、受け入れ可能かどうかを判定する。紙葉類の厚さ検出装置は、上記第１の実施の形態に示す厚さ検出装置を用いたが、第２〜第６の実施の形態のどれかを用いてもよい。
【００４７】
次に、図１１に示す紙幣取扱装置９０の動作について説明する。現金預け入れ時は、紙幣供給受取機構９１に供給された紙幣９６ａは一枚づつ分離され搬送路９２ａに送り出される。搬送路９２ａに送り出された紙幣９６ａは、紙幣判定装置９７において紙幣が真券であるか偽券であるか、金種は何かが鑑別され、また、紙幣が一枚か二枚以上か（重送の有無、折れ券かどうか）が判別される。紙幣が受け入れ可能な真券でありかつ一枚及び折れ券の場合は、一時スタッカ９３に蓄積され、取引金額が表示される。一方、供給した紙幣に問題がある場合は、供給された全ての紙幣は紙幣供給受取機構９１に戻される。取引が成立した場合は、一時スタッカ９３に蓄積された紙幣９６ａは再び紙幣判定装置９７を通り、紙幣が一枚か二枚以上か金種は何かがチェックされてそれぞれの金種収納箱９５に収納される。
【００４８】
現金払い出し時には、金種収納箱９５の紙幣９６ｂが一枚づつ分離され搬送路９２ｂに送り出される。搬送路９２ｂに送り出された紙幣は、紙幣判定装置９７において紙幣が一枚か二枚以上かが判別される。紙幣が一枚の場合は紙幣供給受取機構９１に払い出される。二枚以上及び折れ券の場合は一時スタッカに蓄積され、その後、紙幣回収箱９４に収納される。なお、紙幣判定装置９７は往復どちらの方向から紙幣が搬送されても判定可能なように構成されている。
【００４９】
本実施の形態に係る現金自動取扱装置によれば、本発明の実施の形態に係る紙葉類の厚さ検出装置を用いた紙幣判定装置を備えることにより、紙幣が二枚以上重なっている重送およびテープ、紙等で変造された紙幣を高精度に検出できる効果がある。
【００５０】
上記実施の形態では、現金自動取扱装置に使用する紙葉類の厚さ検出装置について述べたが、本発明は自動販売機の紙葉類の厚さ検出装置にも適用できる。
【図面の簡単な説明】
【００５１】
【図１】本発明の第１の実施の形態に係る紙葉類の厚さ検出装置の要部構成を示す斜視図である。
【図２】図１に示す実施の形態の検出ローラの断面図である。
【図３】本発明の第２の実施の形態に係る側板とスペーサの断面図である。
【図４】従来技術の例を示す正面図である。
【図５】本発明の第１の実施の形態に係る紙葉類の厚さ検出装置を示す正面図である。
【図６】紙葉類の厚さ検出装置の厚さ検出信号の例を示す概念図である。
【図７】本発明の第３の実施の形態に係る紙葉類の厚さ検出装置を示す正面図である。
【図８】本発明の第４の実施の形態に係る紙葉類の厚さ検出装置を示す正面図である。
【図９】本発明の第５の実施の形態に係る紙葉類の厚さ検出装置を示す側面図である。
【図１０】図９に示す実施の形態において、検出ローラが軸方向へ傾いた状態を示す側面図である。
【図１１】本発明の第７の実施の形態に係る紙幣取扱装置を示す側面図である。
【符号の説明】
【００５２】
１  基準ローラ回転軸
２  検出ローラ回転軸
４a〜４f  検出ローラ
５a〜５f  変位検出センサ
６  弾性部材
７  外輪
８  側板
９  内輪
１０  スペーサ
１２a〜１２f  基準ローラ
１５  スペーサ部材
１８  突起
３０  紙葉類
３１  テープ
４０  外輪
【図１】
2005258610.tif 000003
【図２】
2005258610.tif 000004
【図３】
2005258610.tif 000005
【図４】
2005258610.tif 000006
【図５】
2005258610.tif 000007
【図６】
2005258610.tif 000008
【図７】
2005258610.tif 000009
【図８】
2005258610.tif 000010
【図９】
2005258610.tif 000011
【図１０】
2005258610.tif 000012
【図１１】
2005258610.tif 000013